(57)【要約】【課題】内燃機関の外観性を損なわず、かつ内燃機関を大型化することなく、バイパス通路を機関本体に構成し、早期暖機を促進することができる内燃機関の冷却構造を供する。【解決手段】ラジエータ経由通路(Pr)による循環とバイパス通路(Pb)による循環を切替えるサーモスタット(70)が設けられた内燃機関の冷却構造において、シリンダブロック内液路(24W)は、隔壁(24P)によってシリンダ軸線(Lc)の軸線方向の上下に区画されてシリンダブロック内上側液路(24Wa)とシリンダブロック内下側液路(24Wb)とからなり、バイパス通路(Pb)の一部がシリンダブロック内下側液路(24Wb)により構成されることを特徴とする。【選択図】図１２
2020016216.tif 000002
【特許請求の範囲】
【請求項１】
自動二輪車(1)の前輪(9)と後輪(12)の間で車体の左右車幅方向の中央に内燃機関(21)が搭載され、
内燃機関(21)は、クランクケース(23)の上にシリンダブロック(24)とシリンダヘッド(25)を順次重ねて締結して機関本体(21H)が構成され、
前記シリンダブロック(24)は、シリンダボア(24b)の周囲を冷却液が通るシリンダブロック内液路(24W)を有し、
前記シリンダヘッド(25)は、燃焼室の周囲を冷却液が通るシリンダヘッド内液路(25W)を有し、
冷却液ポンプ(60)により冷却液を前記シリンダブロック内液路(24W)と前記シリンダヘッド内液路(25W)に循環させる冷却液循環経路に、冷却液を空冷するラジエータ(100)を経由するラジエータ経由通路(Pr)と前記ラジエータ(100)を迂回するバイパス通路(Pb)が介装され、
前記ラジエータ経由通路(Pr)による循環と前記バイパス通路(Pb)による循環を切替えるサーモスタット(70)が設けられた内燃機関の冷却構造において、
前記シリンダブロック内液路(24W)は、隔壁(24P)によって前記シリンダボア(24b)の中心軸線であるシリンダ軸線(Lc)の軸線方向の上下に区画されてシリンダブロック内上側液路(24Wa)とシリンダブロック内下側液路(24Wb)とからなり、
前記バイパス通路(Pb)の一部が前記シリンダブロック内下側液路(24Wb)により構成されることを特徴とする内燃機関の冷却構造。
【請求項２】
前記シリンダブロック内下側液路(24Wb)は、前記シリンダブロック(24)のシリンダボア(24b)の外周囲を囲うように環状に形成されることを特徴とする請求項１に記載の内燃機関の冷却構造。
【請求項３】
前記ラジエータ(100)は、ラジエータコア(100C)を挟んで左右にラジエータタンク(100U,100L)を有して、前記内燃機関(21)の前方に配置され、
前記サーモスタット(70)と前記冷却液ポンプ(60)が、前記機関本体(21H)の左右車幅方向の左右に振り分けて配置され、
前記機関本体(21H)の左右一方の側の前記サーモスタット(70)と左右同じ側のラジエータタンク(100U)とが冷却液配管(101)で接続され、
前記機関本体(21H)の左右他方の側の前記冷却液ポンプ(60)と左右同じ側のラジエータタンク(100L)とが冷却液配管(102)で接続されることを特徴とする請求項１または請求項２に記載の内燃機関の冷却構造。
【請求項４】
前記シリンダブロック内液路(24W)を区画する前記隔壁(24P)は、前記シリンダブロック(24)のシリンダボア(24b)内をシリンダ軸線(Lc)の軸線方向に摺動するピストン(28)の頂面(28t)が移動するピストン頂面移動範囲(Dp)のうち中間よりクランクケース(23)側に偏っていることを特徴とする請求項１ないし請求項３のいずれか１項に記載の内燃機関の冷却構造。
【請求項５】
前記シリンダブロック内上側液路(24Wa)と前記シリンダヘッド内液路(25W)は、前記シリンダブロック(24)と前記シリンダヘッド(25)の間に挟まれるガスケット(25c)の連通孔(25ch)を介して連通し、
前記サーモスタット(70)は、そのサーモスタットケース(71)が前記シリンダヘッド内液路(25W)の流出部において前記シリンダヘッド(25)に一体に形成されることを特徴とする請求項１ないし請求項４のいずれか１項に記載の内燃機関の冷却構造。
【請求項６】
前記サーモスタット(70)は、前記シリンダヘッド内液路(25W)から流出した冷却液を前記ラジエータ経由通路(Pr)と前記バイパス通路(Pb)のいずれかに選択的に流すとともに、
前記シリンダヘッド内液路(25W)から流出した冷却液の一部を常時前記バイパス通路(Pb)に漏出する漏出通路(85)を備えることを特徴とする請求項５に記載の内燃機関の冷却構造。
【請求項７】
前記バイパス通路(Pb)の一部をなす前記シリンダブロック内下側液路(24Wb)における下側液路流入口(24Ｗba)は、前記シリンダブロック(24)の前側壁(24F)または後側壁(24B)に形成されることを特徴とする請求項１ないし請求項６のいずれか１項に記載の内燃機関の冷却構造。
【請求項８】
前記シリンダブロック内下側液路(24Wb)における下側液路流出口(24Wbb)と前記シリンダブロック内上側液路(24Wa)における上側液路流入口(24Waa)が、互いに隣接して前記シリンダブロック(24)の前側壁(24F)に形成され、
前記下側液路流出口(24Wbb)に接続される下側液路流出接続管(92)と前記上側液路流入口(24Waa)に接続される上側液路流入接続管(91)が、一体に形成されることを特徴とする請求項１ないし請求項７のいずれか１項に記載の内燃機関の冷却構造。
【請求項９】
前記ラジエータ(100)から流出する冷却液を導くラジエータ流出配管(102)と前記冷却液ポンプ(60)に冷却液を戻すポンプ流入配管(65)とを接続する分岐接続管(94)が、その分岐管部として前記下側液路流出接続管(92)を一体に有していることを特徴とする請求項８に記載の内燃機関の冷却構造。
【請求項１０】
前記クランクケース(23)に前記シリンダブロック(24)と前記シリンダヘッド(25)を順次重ねてスタッドボルト(40)により締結して前記機関本体(21H)が構成され、
前記バイパス通路(Pb)の一部をなす前記シリンダブロック内下側液路(24Wb)は、前記スタッドボルト(40)に対して前記シリンダボア(24b)とは反対側である前記スタッドボルト(40)の外側を通ることを特徴とする請求項１ないし請求項９のいずれか１項に記載の内燃機関の冷却構造。
【発明の詳細な説明】
【技術分野】
【０００１】
本発明は、車両に搭載される内燃機関の冷却構造に関する。
【背景技術】
【０００２】
内燃機関の機関本体を構成するシリンダブロックとシリンダヘッドのウオータジャケットにウォータポンプにより冷却水を循環させる冷却水循環経路に、ラジエータを経由するラジエータ経由通路とラジエータを迂回するバイパス通路が介装され、サーモスタットによりラジエータ経由通路による循環とバイパス通路による循環を切替える内燃機関の冷却構造が、よく知られている（例えば、特許文献１参照）。
【先行技術文献】
【特許文献】
【０００３】
【特許文献１】特開２０１４−４７７１９号公報
【０００４】
特許文献１に開示された内燃機関の冷却構造において、ラジエータを迂回するようにしてシリンダヘッドの左側に配置されたサーモスタットからの冷却水をクランクケースの右側に配置されるウォータポンプに導くバイパス通路が示されている。
【０００５】
したがって、該バイパス通路は、シリンダヘッドの後壁を左側のサーモスタットから右側に延びるシリンダヘッド側水路部およびシリンダヘッド側水路部からカムチェーン室の内壁を下方に延びるカムチェーン室側水路部等から構成されている。
【発明の概要】
【発明が解決しようとする課題】
【０００６】
バイパス通路のシリンダヘッド側水路部は、シリンダヘッドの水路が形成される後壁の厚さを抑えるべく後壁の外壁面を膨出するようにして形成されており、外観性を損なうおそれがある。
【０００７】
また、カムチェーン室側水路部は、カムチェーン室の内壁に形成されるので、シリンダブロックにおいてシリンダボアとカムチェーンとの間にカムチェーン室側水路部が設けられることになり、よってカムチェーンがカムチェーン室側水路部を避けて外側方に移動してカムチェーン室が拡張され、内燃機関が大型化する。
【０００８】
本発明は、かかる点に鑑みなされたもので、その目的とする処は、内燃機関の外観性を損なわず、かつ内燃機関を大型化することなく、バイパス通路を機関本体に構成し、早期暖機を促進することができる内燃機関の冷却構造を供する点にある。
【課題を解決するための手段】
【０００９】
上記目的を達成するために、本発明は、
自動二輪車の前輪と後輪の間で車体の左右車幅方向の中央に内燃機関が搭載され、
内燃機関は、クランクケースの上にシリンダブロックとシリンダヘッドを順次重ねて締結して機関本体が構成され、
前記シリンダブロックは、シリンダボアの周囲を冷却液が通るシリンダブロック内液路を有し、
前記シリンダヘッドは、燃焼室の周囲を冷却液が通るシリンダヘッド内液路を有し、
冷却液ポンプにより冷却液を前記シリンダブロック内液路と前記シリンダヘッド内液路に循環させる冷却液循環経路に、冷却液を空冷するラジエータを経由するラジエータ経由通路と前記ラジエータを迂回するバイパス通路が介装され、
前記ラジエータ経由通路による循環と前記バイパス通路による循環を切替えるサーモスタットが設けられた内燃機関の冷却構造において、
前記シリンダブロック内液路は、隔壁によって前記シリンダボア(24b)の中心軸線であるシリンダ軸線の軸線方向の上下に区画されてシリンダブロック内上側液路とシリンダブロック内下側液路とからなり、
前記バイパス通路の一部が前記シリンダブロック内下側液路により構成される内燃機関の冷却構造を提供する。
【００１０】
この構成によれば、シリンダブロックのシリンダボアの周囲を冷却液が通るシリンダブロック内液路のうち隔壁により区画されたシリンダブロック内下側液路をバイパス通路として使用することで、内燃機関の大型化を招くことなく、バイパス通路をシリンダブロックの壁内に構成でき、省スペース化および外観性の向上に寄与する。
【００１１】
また、シリンダブロックのシリンダボアの周囲に形成されるシリンダブロック内下側液路をバイパス通路として使用するので、内燃機関の始動時にバイパス通路を通る冷却液が早く温まり、早期に内燃機関を暖機することができる。
【００１２】
本発明の好適な実施形態では、
前記シリンダブロック内下側液路は、前記シリンダブロックのシリンダボアの外周囲を囲うように環状に形成される。
【００１３】
この構成によれば、バイパス通路となるシリンダブロック内下側液路は、シリンダブロックのシリンダボアの外周囲を囲うように環状に形成されるので、バイパス通路を流れる冷却液は効率良く受熱されて早く昇温して、早期暖機をより促進する。
【００１４】
本発明の好適な実施形態では、
前記ラジエータは、ラジエータコアを挟んで左右にラジエータタンクを有して、前記内燃機関の前方に配置され、
前記サーモスタットと前記冷却液ポンプが、前記機関本体の左右車幅方向の左右に振り分けて配置され、
前記機関本体の左右一方の側の前記サーモスタットと左右同じ側のラジエータタンクとが冷却液配管で接続され、
前記機関本体の左右他方の側の前記冷却液ポンプと左右同じ側のラジエータタンクとが冷却液配管で接続される。
【００１５】
この構成によれば、内燃機関の前方に配置されるラジエータがラジエータコアを挟んで左右にラジエータタンクを有するサイドタンクラジエータであり、機関本体の左右一方の側のサーモスタットと左右同じ側のラジエータタンクとが冷却液配管で接続され、機関本体の左右他方の側の冷却液ポンプと左右同じ側のラジエータタンクとが冷却液配管で接続されるので、左右の冷却液配管を可及的に短くできる。
【００１６】
本発明の好適な実施形態では、
前記シリンダブロック内液路を区画する前記隔壁は、前記シリンダブロックのシリンダボア内をシリンダ軸線の軸線方向に摺動するピストンの頂面が移動するピストン頂面移動範囲のうち中間よりクランクケース側に偏っている。
【００１７】
この構成によれば、シリンダブロック内液路を区画する隔壁は、シリンダブロックのシリンダボア内をシリンダ軸線方向に摺動するピストンの頂面が移動するピストン頂面移動範囲のうち中間よりクランクケース側に偏っているので、シリンダブロック内上側液路の方が、シリンダブロック内下側液路よりも容量が大きく、内燃機関の暖機後の通常運転時にラジエータを経由する冷却液が容量の大きいシリンダブロック内上側液路を流れて、シリンダブロックを効率良く冷却することができる。
【００１８】
本発明の好適な実施形態では、
前記シリンダブロック内上側液路と前記シリンダヘッド内液路は、前記シリンダブロックと前記シリンダヘッドの間に挟まれるガスケットの連通孔を介して連通し、
前記サーモスタットは、そのサーモスタットケースが前記シリンダヘッド内液路の流出部において前記シリンダヘッドに一体に形成される。
【００１９】
この構成によれば、シリンダブロック内上側液路とシリンダヘッド内液路は、ガスケットの連通孔を介して連通し、サーモスタットのサーモスタットケースがシリンダヘッド内液路の流出部においてシリンダヘッドに一体に形成されるので、部品点数を削減できるとともに、サーモスタットをシリンダヘッドにコンパクトに設けることができ、内燃機関の大型化を抑えることができる。
【００２０】
本発明の好適な実施形態では、
前記サーモスタットは、前記シリンダヘッド内液路から流出した冷却液を前記ラジエータ経由通路と前記バイパス通路のいずれかに選択的に流すとともに、
前記シリンダヘッド内液路から流出した冷却液の一部を常時前記バイパス通路に漏出する漏出通路を備える。
【００２１】
この構成によれば、サーモスタットは、シリンダヘッド内液路から流出した冷却液をラジエータ経由通路とバイパス通路のいずれかに選択的に流すとともに、シリンダヘッド内液路から流出した冷却液の一部を常時バイパス通路に漏出する漏出通路を備えるので、内燃機関の暖機後の通常運転時に、サーモスタットが冷却液をラジエータ経由通路に流してバイパス通路に流さない時でも、漏出通路より冷却液の一部がバイパス通路であるシリンダブロック内下側液路内を流れるようにして、冷却液が滞留することを回避して、シリンダブロック内下側液路内の冷却液が沸騰するのを防止することができる。
【００２２】
本発明の好適な実施形態では、
前記バイパス通路の一部をなす前記シリンダブロック内下側液路における下側液路流入口は、前記シリンダブロックの前側壁または後側壁に形成される。
【００２３】
この構成によれば、バイパス通路の一部をなすシリンダブロック内下側液路における下側液路流入口は、シリンダブロックの前側壁または後側壁に形成されるので、内燃機関の左右車幅方向への大型化を抑制することができる。
【００２４】
本発明の好適な実施形態では、
前記シリンダブロック内下側液路における下側液路流出口と前記シリンダブロック内上側液路における上側液路流入口が、互いに隣接して前記シリンダブロックの前側壁に形成され、
前記下側液路流出口に接続される下側液路流出接続管と前記上側液路流入口に接続される上側液路流入接続管が、一体に形成される。
【００２５】
この構成によれば、シリンダブロック内下側液路の下側液路流出口に接続される下側液路流出接続管とシリンダブロック内上側液路の上側液路流入口に接続される上側液路流入接続管とが、一体に形成されるので、部品点数を削減し、組付け性の向上を図ることができる。
【００２６】
本発明の好適な実施形態では、
前記ラジエータから流出する冷却液を導くラジエータ流出配管と前記冷却液ポンプに冷却液を戻すポンプ流入配管とを接続する分岐接続管が、その分岐管部として前記下側水路流出接続管を一体に有している。
【００２７】
この構成によれば、ラジエータ流出配管と冷却液ポンプに冷却液を戻すポンプ流入配管とを接続する分岐接続管は、その分岐管部として下側水路流出接続管を一体に有しているので、ラジエータ流出配管とポンプ流入配管とを接続する分岐接続管と、下側水路流出接続管と、上側液路流入接続管とが、一体に形成されることになり、部品点数を削減し、組付け性の向上を図ることができる。
【００２８】
本発明の好適な実施形態では、
前記クランクケースに前記シリンダブロックと前記シリンダヘッドを順次重ねてスタッドボルトにより締結して前記機関本体が構成され、
前記バイパス通路の一部をなす前記シリンダブロック内下側液路は、前記スタッドボルトに対して前記シリンダボアとは反対側である前記スタッドボルトの外側を通る。
【００２９】
この構成によれば、バイパス通路の一部をなすシリンダブロック内下側液路は、スタッドボルトに対してシリンダボアとは反対側であるスタッドボルトの外側を通るので、シリンダブロックのクランクケースに取り付ける下側のスタッドボルトによる締結部の剛性が高くなり、クランクケースに確固として取り付けられるとともに、クランクケースとのパッキン面の剛性も高く面圧を均一にしてシール性の向上を図ることができる。
【発明の効果】
【００３０】
本発明は、シリンダブロックのシリンダボアの周囲を冷却液が通るシリンダブロック内液路のうちシリンダブロック内下側液路をバイパス通路として使用することで、内燃機関の大型化を招くことなく、バイパス通路をシリンダブロックの壁内に構成でき、省スペース化および外観性の向上に寄与する。
また、シリンダブロックのシリンダボアの周囲に形成されるシリンダブロック内下側液路をバイパス通路として使用するので、内燃機関の始動時にバイパス通路を通る冷却液が早く温まり、早期に内燃機関を暖機することができる。
【図面の簡単な説明】
【００３１】
【図１】本発明の一実施の形態に係る自動二輪車の全体側面図である。
【図２】同自動二輪車に搭載される内燃機関（パワーユニット）およびラジエータの左側面図である。
【図３】同右側面図である。
【図４】同内燃機関（パワーユニット）の前面図である。
【図５】図２および図３のV-V矢視によるシリンダヘッドにおける内燃機関の断面図である。
【図６】図５における状態の異なるサーモスタットおよびその周辺の拡大断面図である。
【図７】図２および図３のVII-VII矢視によるシリンダブロックにおける内燃機関の断面図である。
【図８】図２および図３のVIII-VIII矢視によるシリンダブロックにおける内燃機関の断面図である。
【図９】シリンダブロックの上面図である。
【図１０】同シリンダブロックの下面図である。
【図１１】図９および図１０のXI-XI矢視によるシリンダブロックの断面図である。
【図１２】図５，図７および図８のXII-XII矢視による内燃機関の断面図である。
【図１３】図５，図７および図８のXIII-XIII矢視による内燃機関の断面図である。
【図１４】本内燃機関の冷却構造における冷却水の流れを模式的に示した模式図である。
【発明を実施するための形態】
【００３２】
以下、本発明に係る一実施の形態について図面に基づいて説明する。
図１は、本発明を適用した一実施の形態に係る鞍乗型車両である自動二輪車１の側面図である。
なお、本明細書の説明において、前後左右の向きは、本実施の形態に係る自動二輪車１の直進方向を前方とする通常の基準に従うものとし、図面において、ＦＲは前方を，ＲＲは後方を、ＬＨは左方を，ＲＨは右方を示すものとする。
【００３３】
鞍乗型の自動二輪車１の車体フレーム２は、ヘッドパイプ３から左右に分かれてメインフレーム４，４が後方に延出し、その後部のセンターフレーム部４ｃ，４ｃが下方に屈曲している。
また、ヘッドパイプ３から後方斜め下向きにダウンフレーム５，５が延出している。
メインフレーム４，４のセンターフレーム部４ｃ，４ｃの上部屈曲部より前寄りから後方斜め上方にシートレール６が延設されている。
【００３４】
ヘッドパイプ３によって操向可能に支承されたフロントフォーク７の下端に前輪９が軸支され、フロントフォーク７には上方に延びるステアリングシャフト（不図示）を介してハンドル８が連結されている。
【００３５】
また、センターフレーム部４ｃにピボット軸10により前端を軸支されたリアフォーク11が後方に延び、その後端に軸支された後輪12が上下に揺動自在に設けられている。
リアフォーク11の下側縁とセンターフレーム部４ｃの下端部との間にはリンク機構13が設けられ、リンク機構13の一部とセンターフレーム部４ｃの上部との間にリヤクッション14が介装されている。
【００３６】
自動二輪車１の車体フレーム２に搭載されるパワーユニット20は、内燃機関21のクランクケース23内の後部に変速機31を一体に収容して構成されたもので、パワーユニット20は、メインフレーム４の前側のダウンフレーム５とメインフレーム４に懸架されている。
パワーユニット20の上方には燃料タンク15がメインフレーム４に架設され、燃料タンク15の後方にシート16がシートレール６に支持されて設けられている。
【００３７】
内燃機関21は、水冷直列４気筒の４ストロークサイクル内燃機関であり、そのクランク軸22を車幅方向（左右方向）に指向させて自動二輪車１に搭載されている。
図２は、内燃機関21の左側面を、図３は内燃機関21の右側面を示しており、図４は内燃機関21の前面図である。
【００３８】
図２および図３を参照して、クランク軸22を回転自在に軸支するクランクケース23の上に、シリンダ軸線を若干前傾させて、シリンダブロック24およびシリンダヘッド25が順次重ねられるように起立した姿勢でスタッドボルト40により締結されて機関本体21Ｈが構成され、シリンダヘッド25の上にシリンダヘッドカバー26が被せられている。
シリンダブロック24とシリンダヘッド25との間にはガスケット25ｃが挟まれる。
クランクケース23の下方をオイルパン27が覆っている。
【００３９】
内燃機関21の前傾したシリンダヘッド25から上方に吸気管50が延出し、スロットルボディ51を介してエアクリーナ52に接続されている（図１参照）。
また、シリンダヘッド25から前方に延出し下方へ延びる４本の排気管55は、後方に曲がった処で集合して、触媒装置56を介してクランクケース23の下方を後方へ延びて後輪12の右側面に沿って配置されたマフラー57に接続されている（図１参照）。
【００４０】
パワーユニット20の出力軸である変速機31のカウンタ軸33は、左側軸受壁を貫通して左方に突出しており、その左端部に出力スプロケット34が嵌着されており、同出力スプロケット34と後輪12の後車軸に嵌着された従動スプロケット35との間に駆動チェーン36が巻き掛けられ、パワーユニット20の出力が駆動チェーン36を介して後輪12に伝達されて自動二輪車１が走行する（図１参照）。
【００４１】
内燃機関21の前方には左右車幅方向に展開するラジエータ100が、機関本体Ｈの前傾したシリンダブロック24およびシリンダヘッド25の前面に沿って前傾した姿勢で配置されている。
ラジエータ100は、ラジエータコア100Ｃを挟んで左右に上流側ラジエータタンク100Ｕと下流側ラジエータタンク100Ｌを有している。
【００４２】
シリンダブロック24を示す図７ないし図１０を参照して、シリンダブロック24には、４本の円柱状のシリンダボア24ｂが左右車幅方向に並んで形成されており、さらにその右側に長方形状のカムチェーン室24ｃが形成されている。
シリンダボア24ｂ内をピストン28がシリンダ軸線方向に往復摺動する（図１２参照）。
シリンダブロック24における左右に４本並ぶシリンダボア24ｂの外周囲を囲うように環状にシリンダブロック内水路（シリンダブロックウォータジャケット）24Ｗがクランクケース23より上部に形成されている。
【００４３】
図１２および図１３に示されるように、シリンダブロック内水路24Ｗは、隔壁24Ｐによってシリンダ軸線Ｌｐ方向の上下に区画され、シリンダブロック内上側水路24Ｗａとシリンダブロック内下側水路24Ｗｂが形成されている。
【００４４】
図１２を参照して、シリンダブロック内液路24Ｗを区画する隔壁24Ｐは、シリンダボア24ｂ内をシリンダ軸線Ｌｃ方向に摺動するピストン28の頂面28ｔが移動するピストン頂面移動範囲Ｄｐのうち中間よりクランクケース23側に偏って形成される。
図１１に示されるように、シリンダブロック内下側水路24Ｗｂのシリンダ軸線Ｌｃ方向の幅ｄは、シリンダブロック内水路24Ｗのシリンダ軸線Ｌｃ方向の幅Ｄの約１／３程度である。
【００４５】
シリンダブロック内上側水路24Ｗａを示す図７とシリンダブロック内下側水路24Ｗｂを示す図８を参照して、シリンダブロック24における左右に４本並ぶシリンダボア24ｂの外周囲を囲うように環状にシリンダブロック内上側水路24Ｗａとシリンダブロック内下側水路24Ｗｂが形成されている。
【００４６】
左右に４本並ぶシリンダボア24ｂの外周囲には、スタッドボルト40が貫通するボルト孔24ｓが各シリンダボア24ｂの外周囲の４隅に形成され、４本のスタッドボルト40が各シリンダボア24ｂ周りを締結する。
なお、隣合うシリンダボア24ｂ，24ｂの双方の外周囲が重なる部分には、共通のボルト孔24ｓがシリンダボア24ｂ，24ｂの間に若干食い込む位置に形成されて、前後２本のスタッドボルト40が貫通する。
【００４７】
図５に示すように、シリンダヘッド25にも対応する位置にスタッドボルト40が貫通するボルト孔25ｓが形成されている。
したがって、図７および図８に示されるように、シリンダブロック24の前壁と後壁に、それぞれ５つのボルト孔24ｓが左右に配列され、各ボルト孔24ｓを貫通する都合１０本のスタッドボルト40によりクランクケース23にシリンダブロック24とシリンダヘッド25が締結される。
【００４８】
また、シリンダブロック24の前壁には、図７および図８に示されるように、左右に配列され５つのボルト孔24ｓのうち内側３つのボルト孔24ｓのそれぞれ斜め前方に、シリンダヘッド25の動弁系にオイルを供給する油路24ｏが形成されている。
【００４９】
隔壁24Ｐによって区画されたシリンダブロック内水路24Ｗの上側のシリンダブロック内上側水路24Ｗａは、図７に示されるように、スタッドボルト40に対してシリンダボア24ｂと同じ側であるスタッドボルト40の内側を通り、シリンダボア24ｂの外周囲を囲うように形成されている。
なお、シリンダブロック内上側水路24Ｗａは、油路24ｏに対してもシリンダボア24ｂと同じ側である油路24ｏの内側を通っている。
【００５０】
一方、シリンダブロック内水路24Ｗの下側のシリンダブロック内下側水路24Ｗｂは、図８に示されるように、左右方向で内側の６本のスタッドボルト40に対してシリンダボア24ｂと反対側であるスタッドボルト40の外側に膨出した膨出通路部24Ｗｂfを通り、シリンダボア24ｂの外周囲を囲うように形成されている。
また、シリンダブロック内下側水路24Ｗｂの膨出通路部24Ｗｂfは、油路24ｏに対してもシリンダボア24ｂと反対側であるスタッドボルト40の外側を通っている。
【００５１】
したがって、図１１および図１３に示されるように、シリンダブロック24は、シリンダブロック内下側水路24Ｗｂが形成される下側外周壁24Ｌが、シリンダブロック内上側水路24Ｗａが形成される上側外周壁24Ｕよりも外側に拡張して形成されている。
【００５２】
図５および図１２を参照して、シリンダヘッド25には、シリンダブロック24のシリンダボア24ｂに対応する燃焼室25ｂの周囲に、シリンダヘッド内水路（シリンダヘッドウォータジャケット）25Ｗが形成されている。
【００５３】
シリンダヘッド25には、燃焼室25ｂから斜め上後方に湾曲して吸気ポート25ｉが延出しており、吸気ポート25ｉの上流端に前記スロットルボディ51が接続される。
また、燃焼室25ｂから斜め上前方に排気ポート25ｅが延出しており、排気ポート25ｅに前記排気管55が接続される。
シリンダヘッド内水路（シリンダヘッドウォータジャケット）25Ｗは、吸気ポート25ｉおよび排気ポート25ｅの周囲にも形成されている。
【００５４】
シリンダヘッド25のシリンダヘッド内水路25Ｗは、シリンダブロック24との合せ面に部分的に開口している。
一方のシリンダブロック24のシリンダヘッド内水路25Ｗのうちのシリンダブロック内上側水路24Ｗａは、シリンダヘッド25との合せ面に部分的に開口している（図９参照）。
シリンダブロック24とシリンダヘッド25の互いの合せ面の開口は、互いに対向しており、ガスケット25ｃを挟んで重ね合わせ締結すると、シリンダブロック内上側水路24Ｗａとシリンダヘッド内水路25Ｗはガスケット25ｃの連通孔25chを介して連通する（図１２参照）。
【００５５】
以上のような内燃機関21の機関本体21Ｈにおいてクランクケース23の右側面には、図３に示されるように、変速機31より下方に、冷却水を循環させるウォータポンプ60が設けられている（図１，図２参照）。
ウォータポンプ60は、クランクケース23の右側壁に形成されたポンプボディにインペラ60ａが収納され、同インペラ60ａがポンプカバー61により外側から覆われて構成されている。
【００５６】
ポンプカバー61には、インペラ60ａの右方の吸入室に吸入接続管62が突出形成され、同吸入接続管62に接続されたポンプ流入ホース65がクランクケース23の右側に沿って前方に延出し、シリンダブロック24の前側壁24Ｆの前面に廻り込んでいる。
また、インペラ60ａの外周に湾曲して前方に延出する排出接続管63が形成され、同排出接続管63に接続されたポンプ流出ホース66がクランクケース23の右側に沿って前方に延出し、シリンダブロック24の前側壁24Ｆの前面に廻り込んでいる。
【００５７】
図２，図４および図５を参照して、機関本体21Ｈのシリンダヘッド25には、後面の左端部に、サーモスタット70がシリンダヘッド25の後側壁に一体に設けられている。
図５および図６に示されるように、サーモスタット70は、サーモスタットケース71がシリンダヘッド25の後側壁に一体に形成されており、左方に開放した開口を蓋部材72が覆い、内部に第１バルブ73と第２バルブ74の２つのバルブが収納されている。
【００５８】
図６を参照して、サーモスタット70の内部には、環状のバルブシート77がサーモスタットケース71と蓋部材72とに挟まれて固定されており、バルブシート77は、中央に弁開口を有する環状シート部77ａと、くの字に屈曲され両端が環状シート部77ａの弁開口の周縁に接続する帯状のリテイナ部77ｂとを一体に備える。
リテイナ部77ｂは、バルブシート77の環状シート部77ａから左方の蓋部材72の内部空間に突出している。
【００５９】
バルブシート77の環状シート部77ａから右方のサーモスタットケース71内にばね受支持部材78が延設される。
ばね受支持部材78は、バルブシート77から右方に延びた一対の支持片78ａ，78ａの右端に環状のばね受部78ｂが形成されている。
第１バルブ73は、ばね受支持部材78のばね受部78ｂに一端を支持されたコイルばね81に付勢されてバルブシート77の環状シート部77ａに当接する。
【００６０】
第１バルブ73は、サーモエレメント75に貫通されて取り付けられており、サーモエレメント75の左端部は環状のバルブシート77の中央の弁開口を余裕をもって貫通しており、第１バルブ73がバルブシート77の環状シート部77ａに当接すると、バルブシート77の弁開口が閉塞されて閉弁状態となり、サーモスタットケース71の内部空間と蓋部材72の内部空間が仕切られる。
【００６１】
サーモエレメント75の拡径した右側部分はワックス等の熱膨張体が封入された感温部75ｔとなっている。
サーモエレメント75は、感温部75ｔがばね受支持部材38の環状のばね受部78ｂに摺動自在に支持されており、一方、サーモエレメント75の左端部からはプランジャ76が左方の蓋部材72内に突出し、プランジャ76の先端が、バルブシート77に一体に形成されたリテイナ部77ｂの屈曲受け部77bbに当接保持されている。
【００６２】
サーモエレメント75の感温部75ｔから右方に一体に突出した支持棒75ａに第２バルブ74が摺動自在に嵌合して軸支されている。
支持棒75ａに係合した止め輪79により移動を規制された第２バルブ74は、感温部75ｔとの間に介装された円錐状コイルばね82により右方に付勢されている。
【００６３】
サーモスタットケース71は、大径の円筒本体部71ａが蓋部材72側（左側）にあり、同円筒本体部71ａの右側に縮径した小径円筒端部71ｂが突設されている。
第２バルブ74は、円筒本体部71ａと小径円筒端部71ｂの間の段部71ｃに当接して閉弁することで、円筒本体部71ａの内部空間と小径円筒端部71ｂの内部空間を仕切ることができる。
【００６４】
図５は、サーモエレメント75の感温部75ｔの周囲の冷却水の温度が低い場合の状態を示しており、コイルばね81に付勢されて第１バルブ73とサーモエレメント75が左方に移動して、第１バルブ73がバルブシート77に当接して閉弁し、サーモスタットケース71の内部空間と蓋部材72の内部空間が仕切られており、同時にサーモエレメント75の支持棒75ａに軸支された第２バルブ74は、サーモスタットケース71の円筒本体部71ａと小径円筒端部71ｂの間の段部71ｃから離れて開弁し、円筒本体部71ａの内部空間と小径円筒端部71ｂの内部空間を連通している。
【００６５】
サーモエレメント75の感温部75ｔの周囲の冷却水の温度が上昇すると、感温部75ｔの内部のワックスが膨張しプランジャ76を押し出すと、プランジャ76の先端がバルブシート77のリテイナ部77ｂに保持されているため、反力により、図６に示すように、コイルばね81に抗してサーモエレメント75を右方に移動する。
したがって、第１バルブ73は開弁してサーモスタットケース71の内部空間と蓋部材72の内部空間が連通し、同時に円錐状コイルばね82により付勢された第２バルブ74は段部71ｃに当接して閉弁して円筒本体部71ａの内部空間と小径円筒端部71ｂの内部空間を仕切ることになる。
【００６６】
サーモスタット70における蓋部材72には、流出接続管72ｊが突出形成され、同流出接続管72ｊにラジエータ100の上流側ラジエータタンク100Ｕから延びるラジエータ流入ホース101が接続される。
また、サーモスタット70のサーモスタットケース71は、シリンダヘッド25の後側壁25Ｂに一体に形成されており、サーモスタットケース71の円筒本体部71ａの内部空間に、シリンダヘッド25のシリンダヘッド内水路25Ｗから延出した幅広の流出通路84が開口している（図５，図１２参照）。
すなわち、サーモスタットケース71は、シリンダヘッド25の後側壁25Ｂの流出通路84が形成される流出部において一体に形成される。
【００６７】
サーモスタットケース71の小径円筒端部71ｂの内部空間に連通するバイパス連通路86が、シリンダヘッド25の後側壁25Ｂに下方のシリンダブロック24に向けて延出し、シリンダブロック24との合せ面に開口して形成されている。
なお、小径円筒端部71ｂには、シリンダヘッド内水路25Ｗから延出する狭小の漏出通路85が開口しており、第２バルブ74が閉弁時にもシリンダヘッド内水路25Ｗから冷却水の一部が小径円筒端部71ｂ内に漏出してバイパス連通路86に流れるように構成されている。
【００６８】
図７を参照して、シリンダブロック24には、後側壁24Ｂにシリンダヘッド25側のバイパス連通路86に連通するバイパス連通路87が、シリンダヘッド25との合せ面に開口して下方に延出して形成され、シリンダヘッド25側のバイパス連通路86とシリンダブロック24側のバイパス連通路87は、ガスケット25ｃの連通孔を介して連通する。
【００６９】
図７および図８を参照して、シリンダブロック24の後側壁24Ｂに形成されるバイパス連通路87は、下端開口がシリンダブロック内下側水路24Ｗｂに開口して、シリンダブロック内下側水路24Ｗｂへの下側水路流入口24Ｗｂａとなっている。
シリンダブロック内下側水路24Ｗｂへの下側水路流入口24Ｗｂａは、シリンダブロック24の後側壁24Ｂに形成される。
【００７０】
上記構成により、サーモエレメント75は、内燃機関が始動直後の冷却水の温度が低い状態では、図５に示されるように、第１バルブ73が閉弁し、第２バルブ74が開弁するので、シリンダヘッド内水路25Ｗを循環した冷却水は、円筒本体部71ａの内部空間から小径円筒端部71ｂの内部空間に流れ、小径円筒端部71ｂの内部空間からシリンダヘッド25側のバイパス連通路86およびシリンダブロック24側のバイパス連通路87を流下してシリンダブロック内下側水路24Ｗｂに流入する。
シリンダブロック内下側水路24Ｗｂは、バイパス通路の一部をなす。
【００７１】
内燃機関の稼動により冷却水の温度がある程度上昇すると、サーモエレメント75は、図５に示されるように、第１バルブ73が開弁し、第２バルブ74が閉弁するので、シリンダヘッド内水路25Ｗを循環した冷却水は、円筒本体部71ａの内部空間から蓋部材72の内部空間を介してラジエータ流入ホース101に流れ、上流側ラジエータタンク100Ｕに流入する。
なお、第２バルブ74が閉弁時にもシリンダヘッド内水路25Ｗから冷却水の一部が狭小の漏出通路85から小径円筒端部71ｂ内に漏出してバイパス連通路86に流れる。
なお、漏出通路85は、段部71ｃのうち第２バルブ74と当接する部分を一部切り欠いた溝として形成してもよい。
【００７２】
図７を参照して、シリンダブロック24のシリンダブロック内上側水路24Ｗａが形成される上側外周壁24Ｕの前側壁の右側部位には、シリンダブロック内上側水路24Ｗａに冷却水を流入する上側水路流入口24Ｗaaが形成されている。
また、図８を参照して、シリンダブロック24のシリンダブロック内下側水路24Ｗｂが形成される下側外周壁24Ｌの前側壁24Ｆの右側部位には、シリンダブロック内下側水路24Ｗｂから冷却水を流出する下側水路流出口24Ｗbbが形成されている。
【００７３】
上側水路流入口24Ｗaaと下側水路流出口24Ｗbbは、内燃機関21の前面図である図４を参照して、シリンダブロック24の前側壁24Ｆの右側部位に、互いに隣接して左右に設けられている。
上側水路流入口24Ｗaaに接続される上側水路流入接続管91と下側水路流出口24Ｗbbに接続される下側水路流出接続管92とが、共通の取付座板部93を有して、シリンダブロック24の前側壁24Ｆに取付座板部93をボルト  で螺着することで、上側水路流入接続管91と下側水路流出接続管92が一体にシリンダブロック24の前側壁24Ｆに取り付けられる。
【００７４】
図４を参照して、上側水路流入接続管91には、前記ウォータポンプ60から前方に延出しシリンダブロック24の前側壁24Ｆの前面に廻り込んだポンプ流出ホース66が接続される。
また、前記ウォータポンプ60から前方に延出しシリンダブロック24の前側壁24Ｆの前面に廻り込んだ別のポンプ流入ホース65は、ラジエータ100の下流側ラジエータタンク100Ｌから流出する冷却水を導くラジエータ流出ホース102と分岐接続管94により接続されている。
【００７５】
図４に示されるように、分岐接続管94に前記下側水路流出接続管92が分岐して一体に形成されている。
すなわち、分岐接続管94の分岐管部が下側水路流出接続管92となっている。
したがって、上側水路流入接続管91と下側水路流出接続管92と分岐接続管94が、一体に形成された接続管構成体90が構成されている。
【００７６】
以上の内燃機関１の冷却構造の冷却水の流れを模式的に示すと、図１４のようになる。
サーモスタット70とウォータポンプ60は、機関本体21Ｈの左右に振り分けられて配置されおり、機関本体21Ｈの左側のサーモスタット70とラジエータ100の同じ左側の上流側ラジエータタンク100Ｕとが、ラジエータ流入ホース101により接続されている。
また、機関本体21Ｈの右側のウォータポンプ60とラジエータ100の同じ右側の下流側ラジエータタンク100Ｌとがラジエータ流出ホース102およびポンプ流入ホース65により接続されている。
【００７７】
ラジエータ100を経由するラジエータ経由通路Ｐｒは、左側のサーモスタット70からラジエータ100の上流側ラジエータタンク100Ｕに冷却水を流入するラジエータ流入ホース101と、ラジエータ100の下流側ラジエータタンク100Ｌから右側のウォータポンプ60に冷却水を流出するラジエータ流出ホース102およびポンプ流入ホース65とで構成され、同ラジエータ経由通路Ｐｒはサーモスタット70の第１バルブ73により開閉する。
【００７８】
サーモスタット70とウォータポンプ60との間で、ラジエータ100を迂回するバイパス通路Ｐｂは、バイパス連通路86，87とシリンダブロック内下側水路24Ｗｂと下側水路流出接続管92とで構成され、同バイパス通路Ｐｂは、サーモスタット70の第２バルブ74により開閉する。
【００７９】
このように、バイパス通路Ｐｂは、シリンダブロック内下側水路24Ｗｂを利用して構成されているので、外部配管としては下側水路流出接続管92のみで、外部配管が大幅に削減されている。
したがって、バイパス通路Ｐｂの一部がシリンダブロック24のシリンダブロック内下側水路24Ｗｂにより構成されるので、バイパス通路の形成が容易となり、バイパス通路Ｐｂの外部配管が削減されて、部品点数が少なく構造を簡素化してコストの低減および内燃機関の軽量化が図られるとともに、機関本体の周辺を簡素化して外観を良好に保つことができる。
【００８０】
機関始動時の冷却水の温度が低い暖機運転中は、サーモスタット70は第１バルブ73を閉弁し、第２バルブ74を開弁するので、ウォータポンプ60から吐出した冷却水は、ポンプ流出ホース66を通ってシリンダブロック内上側水路24Ｗａに流入し、シリンダブロック内上側水路24Ｗａから連通孔25chを介してシリンダヘッド内水路25Ｗに入ってシリンダブロック内上側水路24Ｗａとシリンダヘッド内水路25Ｗを循環し、流出通路84からサーモスタット70の円筒本体部71ａ内に流入し、開弁した第２バルブ74からバイパス連通路86，87に流れてバイパス通路Ｐｂの一部であるシリンダブロック内下側水路24Ｗｂを流れて下側水路流出接続管92を通ってウォータポンプ60に戻る循環経路を通る。
【００８１】
したがって、シリンダブロック内上側水路24Ｗａおよびシリンダヘッド内水路25Ｗを流れて加熱された冷却水は、ラジエータ100を迂回するバイパス通路Ｐｂを通るとき、外部配管の削減により短い下側水路流出接続管92のみの僅かな放熱に抑えられた上で、シリンダブロック内下側水路24Ｗｂにおいて、さらに加熱されるため、より昇温して益々暖機を促進することができる。
【００８２】
内燃機関21の暖機運転により冷却水の温度がある程度上昇すると、サーモスタット70は第２バルブ74を閉弁し、第１バルブ73を開弁して通常運転に入るので、ウォータポンプ60から吐出した冷却水は、ポンプ流出ホース66からシリンダブロック内上側水路24Ｗａおよびシリンダヘッド内水路25Ｗを循環して、流出通路84からサーモスタット70の円筒本体部71ａ内に流入し、開弁した第１バルブ73からラジエータ100を経由するラジエータ経由通路Ｐｒを流れてウォータポンプ60に戻る循環経路を通る。
【００８３】
したがって、ラジエータ100により冷却された冷却水がシリンダブロック内上側水路24Ｗａおよびシリンダヘッド内水路25Ｗを流れてシリンダブロック24およびシリンダヘッド25を冷却することができる。
なお、内燃機関21の暖機運転後の通常運転時に、サーモスタット70の第２バルブ74が閉弁しても狭小の漏出通路85によりバイパス連通路86に冷却水が漏出してバイパス通路を少量でも流れるようにしてシリンダブロック内下側水路24Ｗｂ内に冷却水が停滞することを防止している。
【００８４】
以上、詳細に説明した本発明に係る内燃機関の冷却構造の一実施の形態では、以下に記す効果を奏する。
図１１および図１２に示されるように、シリンダブロック24内のシリンダボア24ｂの周囲を冷却水が通るシリンダブロック内水路24Ｗは、隔壁24Ｐによってシリンダ軸線Ｌｃの軸線方向の上下に区画されてシリンダブロック内上側水路24Ｗａとシリンダブロック内下側水路24Ｗｂが形成され、シリンダブロック24のシリンダボア24ｂの周囲を冷却水が通るシリンダブロック内水路24Ｗのうちシリンダブロック内下側水路24Ｗｂをバイパス通路Ｐｂの一部として使用することで、内燃機関の大型化を招くことなく、バイパス通路Ｐｂの大部分をシリンダブロック24の壁内に構成でき、省スペース化および外観性の向上に寄与する。
【００８５】
図８に示されるように、バイパス通路となるシリンダブロック内下側水路24Ｗｂは、シリンダブロック24のシリンダボア24ｂの外周囲を囲うように環状に形成されるので、バイパス通路Ｐｂを流れる冷却水は効率良く受熱されて早く昇温して、早期暖機をより促進する。
【００８６】
図２および図３に示されるように、内燃機関21の前方に配置されるラジエータ100がラジエータコア100Ｃを挟んで左右にラジエータタンク100Ｕ，100Ｌを有するサイドタンクラジエータであり、機関本体21Ｈの左側のサーモスタット70と同じ左側の上流側ラジエータタンク100Ｕとがラジエータ流入ホース101で接続され、機関本体の右側のウォータポンプ60と同じ右側の下流側ラジエータタンク100Ｌとがラジエータ流出ホース102で接続されるので、左右のラジエータ流入ホース101とラジエータ流出ホース102を可及的に短くできる。
【００８７】
図１２に示されるように、シリンダブロック内水路24Ｗを区画する隔壁24Ｐは、シリンダブロック24のシリンダボア24ｂ内をシリンダ軸線Ｌｃの軸線方向に摺動するピストン28の頂面28ｔが移動するピストン頂面移動範囲Ｄｐのうち中間よりクランクケース23側に偏って形成されるので、シリンダブロック内上側水路24Ｗａの方が、シリンダブロック内下側水路24Ｗｂよりも容量が大きく、内燃機関21の暖機後の通常運転時にラジエータ100を経由する冷却水が容量の大きいシリンダブロック内上側水路24Ｗａを流れて、シリンダブロック24を効率良く冷却することができる。
【００８８】
図５に示されるように、シリンダブロック内上側水路24Ｗａとシリンダヘッド内水路25Ｗは、ガスケット25ｃの連通孔25chを介して連通し、サーモスタット70のサーモスタットケース71がシリンダヘッド内水路25Ｗの流出通路84のある流出部においてシリンダヘッド25に一体に形成されるので、部品点数を削減できるとともに、サーモスタット70をシリンダヘッド25にコンパクトに設けることができ、内燃機関21の大型化を抑えることができる。
【００８９】
図５に示されるように、サーモスタット70は、シリンダヘッド内水路25Ｗから流出した冷却水をラジエータ経由通路Ｐｒとバイパス通路Ｐｂのいずれかに選択的に流すとともに、シリンダヘッド内水路25Ｗから流出した冷却水の一部を常時バイパス通路Ｐｂに漏出する漏出通路85を備えるので、内燃機関21の暖機後の通常運転時に、サーモスタット70が冷却水をラジエータ経由通路Ｐｒに流してバイパス通路Ｐｂに流さない時でも、漏出通路85より冷却水の一部がバイパス通路Ｐｂであるシリンダブロック内下側水路24Ｗｂ内を流れるようにして、冷却水が滞留することを回避して、シリンダブロック内下側水路24Ｗｂ内の冷却水が沸騰するのを防止することができる。
【００９０】
図４に示されるように、バイパス通路Ｐｂの一部をなすシリンダブロック内下側水路24Ｗｂにおける下側水路流入口24Ｗbaは、シリンダブロック24の前側壁24Ｆに形成されるので、内燃機関21の左右車幅方向への大型化を抑制することができる。
【００９１】
図４に示されるように、シリンダブロック内下側水路24Ｗｂの下側水路流出口24Ｗbbに接続される下側水路流出接続管92とシリンダブロック内上側水路24Ｗａの上側水路流入口24Ｗaaに接続される上側水路流入接続管91とが、一体に形成されるので、部品点数を削減し、組付け性の向上を図ることができる。
【００９２】
図４に示されるように、ラジエータ流出配管102とウォータポンプ60に冷却水を戻すポンプ流入配管65とを接続する分岐接続管94は、その分岐管部として下側水路流出接続管92を一体に有しているので、ラジエータ流出配管102とポンプ流入配管65とを接続する分岐接続管94と、下側水路流出接続管92と、上側水路流入接続管91とが、一体に形成された接続管構成体90（図４において格子ハッチを施した部分）を構成することになり、部品点数を削減し、組付け性の向上を図ることができる。
【００９３】
図８および図１３に示されるように、バイパス通路Ｐｂの一部をなすシリンダブロック内下側水路24Ｗｂは、スタッドボルト40に対してシリンダボア24ｂとは反対側であるスタッドボルト40の外側を通るように形成されるので、シリンダブロック24のクランクケース23に取り付ける下側のスタッドボルト40による締結部の剛性が高くなり、クランクケース23に確固として取り付けられるとともに、クランクケース23とのパッキン面の剛性も高く面圧を均一にしてシール性の向上を図ることができる。
【００９４】
以上、本発明に係る一実施の形態に係る内燃機関の冷却構造について説明したが、本発明の態様は、上記実施の形態に限定されず、本発明の要旨の範囲で、多様な態様で実施されるものを含むものである。
【００９５】
例えば、サーモスタットとウォータポンプが機関本体の左右いずれか同じ側に配設される場合など、冷却水の流れが異なる内燃機関の冷却構造等の態様も含む。
また、サーモスタットがシリンダヘッドとは別体に配置され、冷却ホースで連結された内燃機関の冷却構造等の態様も含む。
【符号の説明】
【００９６】
１…自動二輪車、２車体フレーム、３…ヘッドパイプ、４…メインフレーム、５…ダウンフレーム、６…シートレール、７…フロントフォーク、８…ハンドル、９…前輪、10…ピボット軸、11…リアフォーク、12…後輪、13…リンク機構、14…リヤクッション、15…燃料タンク、16…シート、
20…パワーユニット、21…内燃機関、21Ｈ…機関本体、22…クランク軸、23…クランクケース、
24…シリンダブロック、24Ｆ…前側壁、24Ｂ…後側壁、24Ｕ…上側外周壁、24Ｌ…下側外周壁、24ｂ…シリンダボア、24Ｗ…シリンダブロック内水路（シリンダブロックウォータジャケット）、24Ｗａ…シリンダブロック内上側水路、24Ｗaa…上側水路流入口、24Ｗｂ…シリンダブロック内下側水路、24Ｗba…下側水路流入口、24Ｗbb…下側水路流出口、24Ｐ…隔壁、24ｏ…油路、
25…シリンダヘッド、25Ｂ…後側壁、25Ｗ…シリンダヘッド内水路（シリンダヘッドウォータジャケット）、25ｃ…ガスケット、25ch…連通孔、
26…シリンダヘッドカバー、27…オイルパン、28…ピストン、29…、
31…変速機、32…メイン軸、33…カウンタ軸（出力軸）、34…出力スプロケット、35…従動スプロケット、36…駆動チェーン、40…スタッドボルト、
50…吸気管、51…スロットルボディ、52…エアクリーナ、55…排気管、56…触媒装置、57…マフラー、
60…ウォータポンプ、61…ポンプカバー、62…吸入接続管、63…排出接続管、65…ポンプ流入ホース、66…ポンプ流出ホース、
70…サーモスタット、71…サーモスタットケース、71ａ…円筒本体部、71ｂ…小径円筒端部、71ｃ…段部、72…蓋部材、73…第１バルブ、74…第２バルブ、75…サーモエレメント、75ｔ…感温部、76…プランジャ、77…バルブシート、78…ばね受支持部材、79…止め輪、
81…コイルばね、82…円錐状コイルばね、84…流出通路、85…漏出通路、86…バイパス連通路、87…バイパス連通路、
90…接続管構成体、91…上側水路流入接続管、92…下側水路流出接続管、93…取付座板部、94…分岐接続管、
100…ラジエータ、100Ｃ…ラジエータコア、100Ｕ…上流側ラジエータタンク、100Ｌ…下流側ラジエータタンク、101…ラジエータ流入ホース（冷却液配管）、102…ラジエータ流出ホース（冷却液配管）。
【図１】
2020016216.tif 000003
【図２】
2020016216.tif 000004
【図３】
2020016216.tif 000005
【図４】
2020016216.tif 000006
【図５】
2020016216.tif 000007
【図６】
2020016216.tif 000008
【図７】
2020016216.tif 000009
【図８】
2020016216.tif 000010
【図９】
2020016216.tif 000011
【図１０】
2020016216.tif 000012
【図１１】
2020016216.tif 000013
【図１２】
2020016216.tif 000014
【図１３】
2020016216.tif 000015
【図１４】
2020016216.tif 000016